(57)【要約】【課題】ＤＭＳ用ターゲット及び成膜用電源を備えた成膜装置であって、前記成膜用電源を用いて前記ターゲットのプレスパッタを行うことが可能なものを提供する。【解決手段】成膜装置は、成膜チャンバ１０と、それぞれがターゲット２４を有し、ターゲット表面２４ａがいずれも成膜チャンバ１０内の基材の側を向く姿勢で互いに隣り合うように配置される第１及び第２カソード２０Ａ，２０Ｂと、両ターゲット２４の表面２４ａの近傍に磁場を形成する磁場形成部３０と、両カソード２０Ａ，２０Ｂ間に介在する成膜用電源４０と、シャッタ５０と、を備える。シャッタ５０は、両カソードのターゲット表面２４ａと基材との間に介在して当該ターゲット表面２４ａを一括して基材から遮断する閉位置と、ターゲット表面２４ａと基材との間を開放して基材への成膜を許容する開位置との間で開閉動作する。【選択図】図２
2015030906.tif 000002
【特許請求の範囲】
【請求項１】
成膜装置であって、
特定位置に基材を収容する成膜チャンバと、
それぞれがターゲットを有し、これらのターゲットの表面がいずれも前記特定位置に配された基材の側を向く姿勢で互いに隣り合うように配置される第１カソード及び第２カソードと、
前記第１及び第２カソードのターゲットの表面の近傍にそれぞれマグネトロンスパッタリング用の磁場を形成する磁場形成部と、
前記第１及び第２カソードの間に介在する成膜用電源と、
前記第１及び第２カソードのターゲットの表面と前記基材との間に介在して当該第１カソード及び第２カソードのターゲットの表面を一括して前記基材から遮断する閉位置と前記第１及び第２カソードのターゲットの表面と前記基材との間を開放して当該ターゲットによる前記基材の表面への成膜を許容する開位置との間で開閉動作が可能なシャッタと、を備える、成膜装置。
【請求項２】
請求項１記載の成膜装置であって、前記第１及び第２カソードは、それぞれのターゲットの表面が同じ方向を向くように配置される、成膜装置。
【請求項３】
請求項１または２記載の成膜装置であって、前記シャッタは、前記第１及び第２カソードのターゲットの並び方向と同じ方向に並ぶ一対の開閉部材を含み、これらの開閉部材が前記並び方向と直交する回動中心軸回りに回動可能となるように前記成膜チャンバに支持されて当該回動により前記開位置と前記閉位置との間で移動する、成膜装置。
【請求項４】
請求項３記載の成膜装置であって、前記各回動中心軸は、前記第１及び第２カソードを挟んで前記開閉部材と反対の側の位置に設定されている、成膜装置。
【請求項５】
請求項１〜４のいずれかに記載の成膜装置であって、前記成膜チャンバにおいて前記基材を挟んで互いに対角となる箇所にそれぞれ前記第１及び第２カソード並びに前記シャッタが設けられる、成膜装置。
【請求項６】
請求項１〜４のいずれかに記載の成膜装置であって、前記第１及び第２カソードに加え、前記成膜チャンバ内に配置されて前記第１及び第２カソードによるスパッタリングとは異なる成膜を実行する成膜部をさらに備える、成膜装置。
【請求項７】
請求項６記載の成膜装置であって、前記成膜チャンバにおいて前記基材を挟んで互いに対角となる箇所にそれぞれ、前記第１及び第２カソード並びにシャッタが設けられ、これらの箇所とは異なる箇所であって前記第１及び第２カソードとともに前記基材を囲む箇所に前記成膜部が配置される、成膜装置。
【発明の詳細な説明】
【技術分野】
【０００１】
本発明は、デュアルマグネトロンスパッタリングにより成膜を行うことが可能な装置に関するものである。
【背景技術】
【０００２】
従来、基材の表面に成膜を施すための手段として、マグネトロンスパッタリングが知られている。このマグネトロンスパッタリングでは、プレート状の成膜材料からなるターゲットと、その背面側に配置される磁場形成部と、前記ターゲットにスパッタ用の電圧を印加するための電源と、が用いられる。当該電源は、前記電圧の印加によりグロー放電を発生させ、これにより不活性ガスをイオン化する。一方、前記磁場形成部は、前記ターゲットの正面側に磁場を形成し、当該磁場に沿って前記イオンが指向的に照射されることを可能にする。当該磁場は、ターゲットから叩き出された二次電子を捕捉し、効率よくガスのイオン化を促進することにより、低い不活性ガス圧力においてもグロー放電を維持することを可能にし、これにより成膜速度を高める。このマグネトロンスパッタリングは、その磁場設計により当該二次電子やプラズマが基材の表面にダメージを与えることを抑制することに活用され、あるいは、反対にプラズマ効果によって皮膜特性の制御を行うことに活用されている。
【０００３】
さらに近年は、前記ターゲットの表面の汚染にかかる問題を解消すべく、一対のターゲットをそれぞれグロー放電の陰極及び陽極として用いるデュアルマグネトロンスパッタリング（ＤＭＳ）の開発が進められている。このＤＭＳでは、前記一対のターゲット同士の間に例えば交流電源を配置して各ターゲットに交互に電圧を印加することにより、ターゲットの表面に生成される絶縁物の除去すなわちセルフクリーニングを行い、これにより膜質を安定させることができる。
【０００４】
例えば、特許文献１には、図５に模式的に示される装置が開示されている。この装置は、基材９６を収容する成膜チャンバ９０と、当該成膜チャンバ９０内で互いに対角となる位置に配置される第１カソード９１及び第２カソード９２と、これらのカソード９１，９２同士の間に介在する成膜用交流電源９４と、各カソード９１，９２の背後に配置される図略の磁場形成用磁石と、を備える。図に示される成膜チャンバ９０は上から見て略八角形状の断面を有し、その中央に前記基材９６が配置される。前記各カソード９１，９２は、成膜材料からなるターゲットと、これを保持するカソード本体と、を有し、各ターゲットが前記基材９６側を向く姿勢で、前記成膜チャンバ９０の側壁の近傍であって互いに対角となる位置に配置される。従って、前記基材９６は前記カソード９１，９２同士の間に配置される。
【先行技術文献】
【特許文献】
【０００５】
【特許文献１】特表２０１０−５０７７２８号公報
【発明の概要】
【発明が解決しようとする課題】
【０００６】
前記特許文献１に記載される装置では、既存の設備を利用して成膜開始前のいわゆるプレスパッタを行うことができない、という課題がある。
【０００７】
このプレスパッタは、ターゲット表面の不純物の除去（セルフクリーニング）、適当な温度までのターゲット温度の漸次的な上昇、放電状態の安定化、などを目的とするものであって、成膜前の基材と各ターゲットとの間がシャッタにより遮断された状態で各ターゲットを放電させることにより実現される。前記シャッタは、前記プレスパッタが完了した時点で開かれ、その時点から前記基材の成膜が開始される。換言すれば、プレスパッタ中は前記シャッタが閉じられることにより、当該プレスパッタによる意図しない成膜が基材に対して行われることが防がれる。
【０００８】
従って、このプレスパッタは、前記基材と前記各ターゲットとの間で開閉可能なシャッタを要するものであるが、例えば図５に二点鎖線で示すようなシャッタ９８を各カソード９１，９２と基材９６との間に介在させると、各カソード９１，９２のターゲット同士の間も遮断されてしまうため、成膜用の交流電源９４を用いて当該カソード９１，９２間での放電を行うことができない。つまり、既存の成膜用交流電源９４を用いては各ターゲットのプレスパッタを行うことはできない、という不都合がある。従って、この従来装置では、前記プレスパッタを行うために成膜用の交流電源９４とは別のプレスパッタ専用の電源を各カソード９１，９２について個別に用意しなければならない。このことは著しい設備コストの増大を伴う。
【課題を解決するための手段】
【０００９】
本発明の目的は、デュアルマグネトロンスパッタリングのための少なくとも一対のターゲット及び成膜用電源を備えた成膜装置であって、前記成膜用電源を用いて前記ターゲットのプレスパッタを行うことが可能なものを提供することにある。
【００１０】
本発明が提供する成膜装置は、特定位置に基材を収容する成膜チャンバと、それぞれがターゲットを有し、これらのターゲットの表面がいずれも前記特定位置に配された基材の側を向く姿勢で互いに隣り合うように配置される第１カソード及び第２カソードと、前記第１及び第２カソードのターゲットの表面の近傍にそれぞれマグネトロンスパッタリング用の磁場を形成する磁場形成部と、前記第１及び第２カソードの間に介在する成膜用電源と、前記第１及び第２カソードのターゲットの表面と前記基材との間に介在して当該第１カソード及び第２カソードのターゲットの表面を一括して前記基材から遮断する閉位置と前記第１及び第２カソードのターゲットの表面と前記基材との間を開放して当該ターゲットによる前記基材の表面への成膜を許容する開位置との間で開閉動作が可能なシャッタと、を備える。
【００１１】
この成膜装置によれば、前記第１及び第２カソードのターゲットが互いに隣接しており、これらのターゲットの表面と前記基材との間を一括して遮断するようにシャッタが配置されている、換言すれば、閉位置にあるシャッタを挟んで前記基材とは反対の側つまり互いに同じ側に第１及び第２カソードのターゲットが配置されているから、当該シャッタが閉位置にある状態で成膜用電源を用いて前記第１及び第２カソード間での放電を行うことができる。すなわち、前記シャッタを閉じた状態でプレスパッタを行うことができる。そして、このプレスパッタが完了した後に前記シャッタを開位置に移動させることで、前記第１及び第２カソードのターゲットを用いて前記基材に対してデュアルマグネトロンスパッタリングによる成膜を行うことができる。
【００１２】
前記第１及び第２カソードは、それぞれのターゲットの表面が同じ方向を向くように配置されることが、好ましい。この配置は、前記シャッタがコンパクトな配置で基材と干渉せずに開閉動作をすることを可能にする。
【００１３】
具体的に、前記シャッタは、例えば、前記第１及び第２カソードのターゲットの並び方向と同じ方向に並ぶ一対の開閉部材を含み、これらの開閉部材が前記並び方向と直交する回動中心軸回りに回動可能となるように前記成膜チャンバに支持されて当該回動により前記開位置と前記閉位置との間で移動するものが、好適である。これらの開閉部材は、基材と干渉しない小さな軌跡でそれぞれ回動しながら前記閉位置と前記開位置との間を移動する（すなわち開閉動作を行う）ことができる。
【００１４】
この場合、前記各回動中心軸は、例えば、前記第１及び第２カソードを挟んで前記開閉部材と反対の側の位置に設定されるのが、好ましい。このような回動中心軸の設定は、各開閉部材の回動半径を大きくし、これにより、当該開閉部材の回動軌跡が基材側に大きく膨らんで当該基材と干渉するのを避けることを可能にする。
【００１５】
本発明では、前記成膜チャンバにおいて前記基材を挟んで互いに対角となる箇所にそれぞれ前記第１及び第２カソード並びに前記シャッタが設けられることが、好ましい。この配置は、前記各箇所にそれぞれ配置されたターゲット対の同時駆動によって、前記基材の成膜を効率よく迅速に行うことを可能にする。また、各シャッタを閉じることによって各ターゲット対のプレスパッタ（セルフクリーニング）も当該ターゲット対に接続された成膜用電源によって支障なく行うことが可能である。
【００１６】
本発明に係る成膜装置は、前記第１及び第２カソードに加え、前記成膜チャンバ内に配置されて前記第１及び第２カソードによるスパッタリングとは異なる成膜を実行する成膜部をさらに備えることが可能である。この場合、当該成膜部が他の成膜（例えばアークイオンプレーティングやＣＶＤ）を実行している間は前記シャッタを閉位置にしておくことによって、前記成膜粒子が前記第１及び第２カソードのターゲットの表面に汚染物質として付着するのを防ぐことができる。また、仮に当該付着が生じても、前記シャッタを閉じた状態での第１及び第２カソード間の放電によるセルフクリーニングによって前記ターゲット表面上での汚染物質の堆積を防ぐことができる。
【００１７】
この場合の前記第１及び第２カソード並びに前記成膜部の配置については、例えば、前記成膜チャンバにおいて前記基材を挟んで互いに対角となる箇所にそれぞれ、前記第１及び第２カソード並びにシャッタが設けられ、これらの箇所とは異なる箇所であって前記第１及び第２カソードとともに前記基材を囲む箇所に前記成膜部が配置されることが、好ましい。当該配置は、前記成膜部による成膜と、前記各箇所における第１及び第２カソードの同時駆動による効率的なデュアルマグネトロンスパッタリングと、の双方を同一の成膜チャンバ内で効率よくしかもコンパクトな構造で行うことを可能にする。
【発明の効果】
【００１８】
以上のように、本発明によれば、デュアルマグネトロンスパッタリングのためのターゲット及び成膜用電源を備えた成膜装置であって、前記成膜用電源を用いて前記ターゲットのプレスパッタを行うことが可能なものを提供することができる。
【図面の簡単な説明】
【００１９】
【図１】本発明の第１の実施の形態にかかる成膜装置の断面平面図である。
【図２】前記成膜装置の要部を示す平面図である。
【図３】前記成膜装置の要部を示す断面側面図である。
【図４】本発明の第２の実施の形態に係る成膜装置の断面平面図である。
【図５】従来の成膜装置を示す断面平面図である。
【発明を実施するための形態】
【００２０】
本発明の好ましい実施の形態を、図１〜図４を参照しながら説明する。
【００２１】
図１〜図３は、本発明の第１の実施の形態にかかる成膜装置を示す。この成膜装置は、成膜チャンバ１０と、ＤＭＳ用の第１及び第２カソード２０Ａ，２０Ｂと、各カソード２０Ａ，２０Ｂについて設けられる磁場形成部３０と、成膜用（ＤＭＳ用）電源４０と、シャッタ機構５０と、を備える。
【００２２】
前記成膜チャンバ１０は、成膜対象となる基材を収容するとともに、スパッタリング用の不活性ガス（さらに、化合物薄膜を形成する場合は反応ガス）が封入される空間を囲む。本発明ではこの成膜チャンバ１０の具体的な形状は限定されないが、図１に示されるものは平面視において略八角形状の断面を有し、その中央に基材収容領域６０が設定されている。
【００２３】
この実施の形態において設定される基材収容領域６０は、前記成膜チャンバ１０の中心軸に沿って延びる円柱状の領域であり、当該領域のすぐ下側に図示されない円板状の基材支持テーブルが設置されている。当該基材収容領域６０には、これと略同等の形状を有する単一の大きな円柱状の基材が収容されてもよいし、小径の円柱状の複数の基材が水平方向に並ぶように前記基材支持テーブル上に載置されてもよい。また、当該基材支持テーブルは固定式のものでも回転式のものでもよい。
【００２４】
前記第１及び第２カソード２０Ａ，２０Ｂは、カソード本体２２と、このカソード本体２２に着脱可能に保持されるターゲット２４と、を有する。
【００２５】
各カソード本体２２は、導電性を有する材料によりブロック状に形成され、この実施の形態では上下方向に延びる角柱状をなす。各カソード本体２２は前記ターゲット２４を着脱可能に保持するターゲット保持部２６を有し、このターゲット保持部２６はカソード本体２２の特定の側面上に設けられている。
【００２６】
各ターゲット２４は、成膜材料、例えばアルミニウム、からなり、前記ターゲット保持部２６が設けられた前記カソード本体２２の側面に沿って延びる薄板状をなす。このターゲット２４は、前記ターゲット保持部２６に保持された状態で前記カソード本体２２とともに通電されることが可能である。
【００２７】
この成膜装置の特徴として、前記第１カソード２０Ａ及び前記第２カソード２０Ｂは、これらのターゲット２４の表面２４ａがいずれも前記基材収容領域６０に収容された（すなわち特定位置に配された）基材の側を向く姿勢で互いに隣り合うように配置されている。この実施の形態では、前記ターゲット表面２４ａが同じ方向を向くように、具体的には各ターゲット表面２４ａの法線方向が前記基材収容領域６０の中心軸と両カソード２０Ａ，２０Ｂの中間位置とを結ぶチャンバ半径方向と実質的に平行となるように、第１及び第２カソード２０Ａ，２０Ｂが配置されている。各ターゲット表面２４ａの法線方向は互いに大きく傾いていてもよいが、これらの法線方向が実質的に平行となるように各ターゲット２４が配置されることは、両カソード２０Ａ，２０Ｂの配設に必要なスペースの削減及び後述のシャッタ機構５０の小型化を助ける。
【００２８】
前記磁場形成部３０は、前記第１及び第２カソード２０Ａ，２０Ｂのそれぞれについて設けられ、当該カソードのターゲット２４の表面２４ａの近傍にそれぞれマグネトロンスパッタリング用の磁場を形成する。具体的に、この実施の形態に係る磁場形成部３０は、３個の永久磁石、すなわち、第１永久磁石３１、第２永久磁石３２及び第３永久磁石３３を有し、これらは前記ターゲット２４の背後に位置するように前記カソード本体２２の内部に組み込まれている。
【００２９】
前記マグネトロンスパッタリング用の磁場は、前記ターゲット２４の表面２４ａから叩き出される二次電子をローレンツ力で捕捉するように形成される。図２はその磁力線を示す。前記各永久磁石３１〜３３は当該磁場を形成するように配列されている。具体的に、前記第１永久磁石３１は、前記カソード２０Ａ，２０Ｂのカソード幅方向（この実施の形態ではカソード２０Ａ，２０Ｂが並ぶ方向と平行な方向）について中央の位置に配置され、そのＮ極がターゲット２４側を向くようにカソード本体２２に組み込まれている。前記第２及び第３永久磁石３２，３３は、前記カソード幅方向について前記第１永久磁石３１の両外側の位置にそれぞれ配置され、それぞれのＳ極がターゲット２４側を向くようにカソード本体２２に組み込まれている。
【００３０】
前記成膜用電源４０は、前記第１カソード２０Ａと前記第２カソード２０Ｂとの間に介在し、これらのカソード２０Ａ，２０Ｂに対して特定の周期で交互に電圧を印加し、これによりターゲット２４の材料さらにはこれに付着する汚染物質を叩き出すためのガスイオン原子（成膜チャンバ１０内に封入される不活性ガスのイオン原子）を生成する。この成膜用電源４０には、図に示される交流電源の他、例えば出力電圧を正・負交互に反転させるバイポーラパルス電源を使用することが可能である。
【００３１】
前記シャッタ機構５０は、開閉方向に移動可能な一対の開閉部材である可動シャッタ板５１，５２と、補助シャッタ板５３と、前記可動シャッタ板５１，５２をそれぞれ開閉方向に移動可能に支持する一対の開閉支持機構５４と、を有し、前記各シャッタ板５１〜５３が本発明に係るシャッタを構成する。
【００３２】
前記可動シャッタ板５１，５２は、前記両カソード２０Ａ，２０Ｂのターゲット２４の並び方向と平行な方向に並び、図１〜図３に実線で示す閉位置と図１及び図２に二点鎖線で示す開位置との間を移動できるように、それぞれ前記開閉支持機構５４を介して前記成膜チャンバ１０に支持される。可動シャッタ板５１，５２は、前記閉位置では、前記第１及び第２カソード２０Ａ，２０Ｂのターゲット２４の表面２４ａと前記基材収容領域６０に設置される基材の表面との間に介在して両者間を一括して遮断する一方、前記開位置では、前記第１及び第２カソード２０Ａ，２０Ｂのターゲット２４の表面２４ａと前記基材の表面との間を開放して当該ターゲット２４による前記基材の表面への成膜を許容する。
【００３３】
前記可動シャッタ板５１は、それぞれが平板状をなす本体壁部５１ａ及び側壁部５１ｂを一体に有する。本体壁部５１ａは、前記閉位置において、前記第１カソード２０Ａのターゲット２４の表面２４ａと基材の表面との間を遮るように、当該ターゲット表面２４ａから当該基材側に距離をおいて当該ターゲット表面２４ａと平行となる姿勢をとる。前記側壁部５１ｂは、前記閉位置における前記本体壁部５１ａの背後の空間（ターゲット表面２４ａの正面側の空間）を側方から覆うように当該本体壁部５１ａの外側縁部から後方（第１カソード２０Ａに近づく方向）に延びる。
【００３４】
前記可動シャッタ板５２は、その全体が略平板状をなし、前記閉位置において、前記第２カソード２０Ｂのターゲット２４の表面２４ａと基材の表面との間を遮るように、当該ターゲット表面２４ａから当該基材側に距離をおいて当該ターゲット表面２４ａと平行となる姿勢をとる。この可動シャッタ板５２の内側縁部５２ａは、他の部分よりも一段内側に後退した形状を有し、前記閉位置において前記可動シャッタ板５１の内側縁部と前後方向（成膜チャンバ１０の半径方向と平行な方向）に重なることが可能となっている。これら内側縁部同士の重なりは、各ターゲット２４の表面２４ａと基材の表面との間の遮断をより確実にする。すなわち、当該内側縁部同士の隙間を通じてターゲット２４から基材の表面へ粒子が漏れ出るのをより有効に抑止することができる。
【００３５】
前記補助シャッタ板５３は、前記閉位置における前記可動シャッタ板５２の背後の空間（ターゲット表面２４ａの正面側の空間）を側方から覆うように配置されている。具体的に、補助シャッタ板５３は、前記閉位置にある可動シャッタ板５２の外側縁部から後方（第２カソード２０Ｂに近づく方向）に延びるような姿勢及び位置にて前記成膜チャンバ１０に固定されている。この補助シャッタ板５３は前記可動シャッタ板５２と一体に形成されることも可能である。
【００３６】
本発明ではシャッタの具体的な形状を問わない。例えば前記可動シャッタ板５１の側壁板部５１ｂ及び補助シャッタ板５３は、仕様に応じてその寸法を短縮しあるいは省略することが可能である。また、シャッタを構成する部材は必ずしも平板状でなくてもよく、湾曲した曲板状であってもよい。
【００３７】
前記各開閉支持機構５４は、前記成膜チャンバ１０内に設置され、前記各可動シャッタ板５１，５２が前記閉位置と前記開位置との間で移動可能となるようにこれらの可動シャッタ板５１，５２をそれぞれ支持する。この実施の形態では、前記各可動シャッタ板５１，５２の開位置は当該各可動シャッタ板５１，５２の並び方向について各閉位置の両外側の位置に設定されており、開閉支持機構５４は、前記第１及び第２カソード２０Ａ，２０Ｂの後方に設定された上下方向の（すなわち両ターゲット２４の並び方向と直交する方向の）回動中心軸回りに回動可能となるように前記各可動シャッタ板５１，５２を支持することによって、両可動シャッタ板５１，５２を開閉可能としている。
【００３８】
具体的に、前記開閉支持機構５４は、上下一対の回動支軸５５と、上下一対の回動アーム５６と、を有する。各回動支軸５５は、前記各可動シャッタ板５１，５２の回動中心軸と一致するように上下方向に延びる姿勢で配置され、自軸回りに回動可能となるように前記成膜チャンバ１０の天壁及び底壁にそれぞれ保持されている。前記各回動アーム５６は、対応するカソード（可動シャッタ板５１を支持する開閉支持機構５４については第１カソード２０Ａ、可動シャッタ板５２を支持する開閉支持機構５４については第２カソード２０Ｂ）の上方及び下方で当該カソードを跨ぐように配置され、前記回動支軸５５の内側端部と前記可動シャッタ板５１，５２の上下端部とをそれぞれ連結する。すなわち、上側の回動アーム５６の両端部は、上側の回動支軸５５の下端部と可動シャッタ板５１または５２の上端部とに連結され、下側の回動アーム５６の両端部は、下側の回動支軸５５の上端部と可動シャッタ板５１または５２の下端部とに連結されている。
【００３９】
ここで、前記各可動シャッタ板５１，５２の回動中心軸が第１及び第２カソード２０Ａ，２０Ｂの後ろ側（すなわち当該カソード２０Ａ，２０Ｂを挟んで可動シャッタ板５１，５２と反対の側）に設定されているのは、当該可動シャッタ板５１，５２の回動半径を大きくしてその回動軌跡が基材収容領域６０側に膨らむのを抑制するためである。このような回動中心軸の設定は、可動シャッタ板５１，５２が基材収容領域６０に進入するのを避けながら当該可動シャッタ板５１，５２と当該基材収容領域６０とを近づけて装置全体を小型化することを可能にする。
【００４０】
前記各開閉支持機構５４の一方の回動支軸５５には駆動源である図示されないアクチュエータが連結され、このアクチュエータにより各可動シャッタ板５１，５２が開閉支持機構５４を介して開閉方向に駆動される。この駆動源は本発明において必須のものではない。また、両開閉支持機構５４が互いに開閉方向に連動するようにこれらの開閉支持機構５４を適当なリンク機構を介して連結することにより、単一の駆動源で両可動シャッタ板５１，５２を開閉させることも可能である。
【００４１】
本発明では、開閉のためのシャッタの具体的な動きも特に限定されない。例えば、各可動シャッタ板５１，５２は、各ターゲット２４の表面２４ａと基材表面との間に介在する閉位置とそこから上側、下側あるいは両外側に外れた開位置との間で平行移動するものでもよい。あるいは、単一の可動シャッタ板で両ターゲット２４の表面２４ａと基材の表面との間を遮断することも可能である。
【００４２】
この装置は、その他、図示はしないが、ワークに不活性ガスイオンを引き寄せて衝突させることで膜質の制御を行うためのバイアス電源や、成膜チャンバ１０内を排気するための排気設備、成膜チャンバ１０内にガスを導入するためのガス導入部、などを備える。
【００４３】
以上説明した成膜装置によれば、例えば次の工程を経ることによって基材の表面に質の高い薄膜を形成することが可能である。
【００４４】
１）準備工程
成膜チャンバ１０内の基材収容領域６０に基材がセットされ、第１及び第２カソード２０Ａ，２０Ｂのカソード本体２２に必要なターゲット２４が装着される。その後、成膜チャンバ１０内が密閉され、真空引きされた後、スパッタリング用の不活性ガス（例えばアルゴンガス）、さらに必要な場合は反応ガスが封入される。例えば、前記基材の表面にアルミナが成膜される場合、前記ターゲット２４としてアルミニウムターゲットがカソード本体２２に装着されるとともに、前記反応ガスとして酸素ガスが封入される。
【００４５】
２）プレスパッタ
前記基材への成膜の前にいわゆるプレスパッタが行われる。当該基材への成膜（ＤＭＳ）は、成膜用電源４０から前記第１及び第２カソード２０Ａ，２０Ｂに電圧を交互に印加して放電させることによって行われるが、放電開始直後はターゲット２４の温度が低く、また放電電圧がやや高めで反応のモード（例えばメタルモード、リアクティブモード、その間の遷移モード）が所望のモードから外れる可能性が高いため、放電と同時に成膜を開始したのでは所望の膜質及び成膜レートを得ることが難しい。そこで、放電状態が安定するまでプレスパッタが行われる。
【００４６】
このプレスパッタでは、開閉部材である可動シャッタ板５１，５２を閉位置に保ったまま、すなわち、これらの可動シャッタ板５１，５２によって各カソード２０Ａ，２０Ｂのターゲット２４の表面２４ａと基材表面との間を遮断した状態で、当該ターゲット２４からの放電が行われる。一般に、この放電が安定するまでには当該放電の開始から数十秒ないし数分かかるが、前記可動シャッタ板５１，５２がターゲット表面２４ａと基材表面との間を遮断しているため、当該放電にかかわらず基材の表面に望ましくない皮膜を堆積させることなく、放電の安定化を待つことができる。また、各ターゲット２４の表面に汚染物質が付着している場合にはこれをスパッタリングで叩き出すことが可能であり（いわゆるセルフクリーニング）、この点も次の工程で形成される膜質の向上に有効となる。
【００４７】
しかも、図１及び図２に示すように第１及び第２カソード２０Ａ，２０Ｂのターゲット２４が互いに隣接するように配置されているため、前記プレスパッタを成膜用電源４０を利用して行うことが可能である。例えば図５に示す装置のように基材９６を挟んで互いに対向するようにカソード９１，９２が配置される場合、同図に二点鎖線で示すようなシャッタ９８を各カソード９１，９２と基材９６との間に介在させると、当該シャッタ９８によってカソード９１，９２間も遮断されてしまうため、両カソード９１，９２の間に介在する成膜用電源９４を用いてはプレスパッタを行うことができない。これに対して図１及び図２の配置では、閉位置にある可動シャッタ板５１，５２を基準として同じ側（基材収容領域６０と反対の側）に両カソード２０Ａ，２０Ｂが配置されているから、成膜用電源４０を利用して各カソード２０Ａ，２０Ｂのプレスパッタのための放電（可動シャッタ板５１，５２を閉じた状態での放電）を行うことが可能である。
【００４８】
３）基材への成膜
前記プレスパッタが終了した時点で可動シャッタ板５１，５２を閉位置から開位置に移動させることにより、ＤＭＳによる基材表面への成膜を開始することができる。具体的には、前記放電によって生成されたガスイオン原子が各ターゲット２４の表面から成膜材料を叩き出して基材の表面へ付着・堆積させることにより、当該基材表面上での成膜が進められる。前記プレスパッタの終了を判断する基準は適宜設定されることが可能であり、例えば、ターゲット２４の温度の上昇、放電状態の安定、セルフクリーニングによる不純物の除去の完了、などが挙げられる。
【００４９】
前記成膜を開始する時点では既に放電状態が安定しており、またセルフクリーニングによってターゲット表面２４ａが清浄化されているため、高い品質の薄膜を形成することが可能である。このようにして成膜が終了した後は、前記基材が冷却され、成膜チャンバ１０から取り出される。
【００５０】
この第１の実施の形態に係る成膜装置では、一つの成膜チャンバ１０内に一対のカソード２０Ａ，２０Ｂのみが配置されているが、本発明では、成膜チャンバ１０内の複数の箇所にそれぞれ第１及び第２カソード２０Ａ，２０Ｂからなるカソード対が配置され、これらのカソード対にそれぞれ成膜用電源が接続されてもよい。さらに、同じ成膜チャンバ１０内に前記第１及び第２カソード２０Ａ，２０Ｂによるスパッタリングとは異なる成膜を実行する成膜部をさらに備えることも可能である。
【００５１】
図４に示されるのは、本発明の第２の実施の形態に係る成膜装置であって、前記のような複数個所への第１及び第２カソード２０Ａ，２０Ｂの配置と、これら第１及び第２カソード２０Ａ，２０Ｂ以外の他の成膜部７０の具備と、をコンパクトな構造で実現するものである。
【００５２】
この装置では、前記成膜チャンバ１０において、前記基材収容領域６０を挟んで互いに対角となる箇所にそれぞれ、前記第１及び第２カソード２０Ａ，２０Ｂ並びにシャッタ機構５０が配置されている。この配置は、前記各箇所にそれぞれ配置されたターゲット対の同時駆動によって、基材収容領域６０に収容された基材の成膜を効率よく迅速に行うことを可能にする。また、それぞれのシャッタ機構５０においてシャッタを閉じることによって各カソード対でのプレスパッタ（セルフクリーニング）も当該カソード対に接続された成膜用電源４０によって支障なく行うことが可能である。
【００５３】
一方、前記他の成膜部７０は、前記第１及び第２カソード２０Ａ，２０Ｂが配設される箇所と異なる箇所であって、これら第１及び第２カソード２０Ａ，２０Ｂとともに前記基材収容領域６０を囲む箇所に設けられている。具体的には、前記カソード２０Ａ，２０Ｂの配設箇所からそれぞれ成膜チャンバ１０の周方向に９０°離れた箇所にそれぞれ前記成膜部７０が配置されている。この配置は、前記成膜部７０による成膜と、互いに対角となる位置に配された第１及び第２カソード２０Ａ，２０Ｂの同時駆動による効率的なデュアルマグネトロンスパッタリングと、の双方を同一の成膜チャンバ１０内で効率よくしかもコンパクトな構造で行うことを可能にする。
【００５４】
例えば、前記成膜部７０がスパッタリング以外の成膜（例えばアークイオンプレーティング）を行うものであってその膜が主層として用いられ、前記第１及び第２カソード２０Ａ，２０Ｂにより形成される膜が前記主層の上に重ねられる上層であって付加機能を与える機能層を構成するものである場合、当該成膜部７０による成膜は前記第１及び第２カソード２０Ａ，２０ＢによるＤＭＳの前に行われることになり、その成膜中に成膜粒子が発生することになる。しかし、この成膜部７０による成膜の実行中は各シャッタ機構５０の可動シャッタ板５１，５２を閉位置にしておくことによって、前記第１及び第２カソード２０Ａ，２０Ｂの放電が停止しているにもかかわらず、前記成膜粒子がターゲット２４の表面２４ａに汚染物質として付着、堆積するのを防ぐことができる。従って、当該成膜部７０による成膜後は、前記第１の実施の形態と同じ要領で第１及び第２カソード２０Ａ，２０Ｂへの電圧の印加によってプレスパッタ及び本成膜を行うことにより、前記成膜部７０が形成した下地膜の上に高品質の薄膜を形成することが可能である。
【符号の説明】
【００５５】
１０    成膜チャンバ
２０Ａ  第１カソード
２０Ｂ  第２カソード
２２    カソード本体
２４    ターゲット
２４ａ  ターゲット表面
３０    磁場形成部
４０    成膜用電源
５０    シャッタ機構
５１，５２  可動シャッタ板（開閉部材）
５３    補助シャッタ板
５４    開閉支持機構
６０    基材収容領域
７０    成膜部
【図１】
2015030906.tif 000003
【図２】
2015030906.tif 000004
【図３】
2015030906.tif 000005
【図４】
2015030906.tif 000006
【図５】
2015030906.tif 000007